(57)【要約】【課題】光ファイバの導入・導出を収納ユニットの側面側から可能とし、接続トレイに対する光ファイバの接続作業を容易にした光成端架に搭載される光コネクタ収納ユニットを提供する。【解決手段】ユニット筐体２内に回転可能に収納されるコネクタパネル４を備え、該コネクタパネル４には、光コネクタ同士を突き合わせ接続する多数の接続アダプタ７が設置されていると共に、光ファイバ同士の接続部を収容保持する接続トレイ１０が設置されている。この接続トレイ１０は、一方の辺側に複数の接続トレイを開閉可能に連結して積層するヒンジ部を有し、該ヒンジ部を有しない反対側の辺側で前記光ファイバ３ａ，８ａの導入・導出を可能とし、コネクタパネル４の後部側に設置される。【選択図】図３
2012226257.tif 000002
【特許請求の範囲】
【請求項１】
多心の光ファイバケーブルを成端させ、複数の光ファイバに分配する光成端架に搭載される光コネクタ収納ユニットであって、
前記光ファイバケーブルを収納ユニット後部の側面方向から導入し、複数の光コネクタを介して収納ユニット前部の側面方向から複数の光ファイバを導出するように構成され、
収納ユニット筐体内に回転可能に収納されるコネクタパネルを備え、該コネクタパネルには、光コネクタ同士を突き合わせ接続する多数の接続アダプタが設置されていると共に、光ファイバ同士の接続部を収容保持する接続トレイが設置され、
前記接続トレイは、一方の辺側に複数の接続トレイを開閉可能に連結して積層するヒンジ部を有し、該ヒンジ部を有しない反対側の辺側で前記光ファイバの導入・導出を可能とし、前記コネクタパネルの後部側に設置されていることを特徴とする光コネクタ収納ユニット。
【請求項２】
前記接続トレイのヒンジ部を有しない辺側が、前記コネクタパネルの後部側に位置していることを特徴とする請求項１に記載の光コネクタ収納ユニット。
【請求項３】
前記接続トレイは、前記ヒンジ部での開きが所定角度以上とならないように、開き角が制限されていることを特徴とする請求項１または２に記載の光コネクタ収納ユニット。
【発明の詳細な説明】
【技術分野】
【０００１】
本発明は、光ファイバケーブルを成端させ、ケーブル内の各光ファイバを、光コネクタを介して分配する光成端架等に搭載される光コネクタ収納ユニットに関する。
【背景技術】
【０００２】
多心の光ファイバケーブルを屋外や地中からビル等の建物内に導入し、ケーブル内の光ファイバを単心にして光配線するのに、光ファイバケーブルを屋内の機器室等に光成端装置（または光接続装置）を設置し、一旦、光ファイバ端を光コネクタで成端させている。
光成端装置は、光成端架（キャビネット）に光ファイバの切り替えや増減などのメンテナンスが行えるように可動とした複数の光コネクタ収納ユニットあるいは光コネクタ収納トレイを複数搭載している。
【０００３】
光成端装置には、光成端架から光コネクタ収納ユニットを取り出す形態により、手前側に水平方向に引き出すスライド型（例えば、特許文献１，２）と、水平方向に回動させて引き出す回転可動型（例えば、特許文献３，４）とがある。
【先行技術文献】
【特許文献】
【０００４】
【特許文献１】特開２００９−１５３６６７号公報
【特許文献２】特開２００９−１６４２２４号公報
【特許文献３】特許２９１２６１９号公報
【特許文献４】特開平１０−２６８１４４号公報
【発明の概要】
【発明が解決しようとする課題】
【０００５】
スライド型の収納ユニットは、上下方向に多段に搭載されるが、収納ユニット内の配線作業を確保するために奥行き部分の全てを引き出そうとすると、スライドレールを複数本使用した多段スライド構造にする必要があり、コスト高な構造となる。また、成端架の高さを抑えるために収納ユニットの高さを低くしようとする場合、収納ユニットのスライドレールを側面側に設置する構造となるため、側面からの光ファイバケーブルの配線導入が物理的に難しく、背面奥側からの配線導入を行おうとすると今度は成端架の奥行きスペースを大きくする必要が生じる。このため、省スペース用として海外でも主流となりつつある１９インチラック（奥行き３００ｍｍのラック）に搭載するのが難しいという問題がある。更には、スライドのための光ファイバの長い余長が必要となって、収納ユニット内外でそれらが輻輳するという問題もある。
【０００６】
回転可動型の収納ユニットは、上記のスライド型の問題点を解消することができる。しかしながら、収納ユニットの光コネクタ数分の光ファイバ接続を同一の接続トレイ内で行おうとすると、光ファイバが絡まりやすく、個々の光ファイバの識別も煩雑になるため作業性が悪く、正確性にも欠ける。また、接続トレイのヒンジ部が収納ユニットの奥部側にあるが、融着接続等の作業を行う場合、収納ユニットの前面側からは光コネクタ列が邪魔になり、回転により開かれた収納ユニットの背面側から行う場合は、開いている接続トレイまたはトレイカバーが邪魔になり、作業性も悪いという問題がある。なお、単純に接続トレイを１８０°反転させて、接続トレイのヒンジが収納ユニットの前面側にくるように設置すると、導出口と接続アダプタとの奥行き方向の寸法が小さくなりすぎたり、導入側の光ファイバと導出側の光ファイバとの交差が発生するため、許容曲げ径の確保が難しくなるという問題がある。
【０００７】
本発明は、上述した実状に鑑みてなされたもので、光ファイバの導入・導出を収納ユニットの側面側から可能とし、接続トレイに対する光ファイバの接続作業を容易にした光コネクタ収納ユニットの提供を目的とする。
【課題を解決するための手段】
【０００８】
本発明による光コネクタ収納ユニットは、多心の光ファイバケーブルを成端させ、複数の光ファイバに分配する光成端架に搭載される光コネクタ収納ユニットであって、光ファイバケーブルを収納ユニット後部の側面方向から導入し、複数の光コネクタを介して収納ユニット前部の側面方向から複数の光ファイバを導出するように構成される。そして、収納ユニット筐体内に回転可能に収納されるコネクタパネルを備え、該コネクタパネルには、光コネクタ同士を突き合わせ接続する多数の接続アダプタが設置されていると共に、光ファイバ同士の接続部を収容保持する接続トレイが設置されている。この接続トレイは、一方の辺側に複数の接続トレイを開閉可能に連結して積層するヒンジ部を有し、該ヒンジ部を有しない反対側の辺側で前記光ファイバの導入・導出を可能とし、コネクタパネルの後部側に設置される。
【０００９】
なお、前記の接続トレイのヒンジ部を有しない辺側が、コネクタパネルの後部側に位置させるのが好ましい。また、ヒンジ部での開きが所定角度以上とならないように、開き角が制限されるようにしてもよい。
【発明の効果】
【００１０】
本発明によれば、光成端架の奥行きを大きく取ることなく、また、光ファイバの接続、収納等の作業性、メンテナンス性を向上させることができ、光ファイバの配線も自然で許容曲げ半径も容易に確保することが可能となる。
【図面の簡単な説明】
【００１１】
【図１】本発明による光コネクタ収納ユニットの外観を示す図である。
【図２】本発明による光コネクタ収納ユニットの内部配線を示す図である。
【図３】本発明による収納ユニット内のコネクタパネルを回転して引出し、作業する状態を示す図である。
【図４】本発明による収納ユニット内の接続トレイの一例を説明する図である。
【図５】図４の接続トレイの使用形態を説明する図である。
【発明を実施するための形態】
【００１２】
図１，２により本発明の実施形態の概略を説明する。図において、１は光コネクタ収納ユニット、２はユニット筐体、２ａは上カバー、２ｂは筐体側壁、２ｃは取付け部片、２ｄはケーブル導入口、３は光ファイバケーブル、３ａは多心の光ファイバ心線、４はコネクタパネル、４ａはコネクタフレーム、５は引出しテーブル、５ａはフロントカバー、５ｂはファイバ導出路、６は回転支軸、７は接続アダプタ、８，９は光コネクタ、８ａは光ファイバ心線、９ａは光ファイバコード、１０は接続トレイを示す。
【００１３】
本発明による光コネクタ収納ユニット１（以下、収納ユニットという）は、図１に示すように、薄型で長方形状のユニット筐体２内に、回転により取出し可能なコネクタパネル４を収納して構成される。ユニット筐体２は、上カバー２ａ、筐体側壁２ｂを有し、該筐体側壁の前部に設けられた取付け部片２ｃにより、光成端架（図示省略）等に収納固定される。筐体側壁２ｂの後部側にはケーブル導入口２ｄが設けられ、光ファイバケーブル３が側面方向から収納ユニット１内に導入される。
【００１４】
コネクタパネル４は、多数の光コネクタおよびファイバ接続部を収容保持して配線するもので、ユニット筐体２の一方の側部（図２で示す右側の側部）で前部側に設けた回転支軸６により回転可能にユニット筐体２内に収納される。このコネクタパネル４は、ユニット筐体２の前部側に９０°程度回転させて引出すことが可能とされ、その前部側には引出しテーブル５が設けられている。引出しテーブル５は、フロントカバー５ａと光コネクタ付き光ファイバコードを案内するファイバ導出路５ｂを有している。また、コネクタパネル４の前部側には、収納ユニット１に導入された光ファイバ心線と外部に導出する光ファイバ心線を光コネクタを介して接続する複数の接続アダプタ７が設置されている。
【００１５】
コネクタパネル４は、図２のユニット筐体２の上カバー２ａを外した図で示すように、前部側（手前側）に接続アダプタ７を配列するためのコネクタフレーム４ａが設けられる。コネクタパネル４の後部側（奥部側）には、光ファイバケーブル３の多心の光ファイバ心線３ａと収納ユニット内側の光コネクタ８の光ファイバ心線８ａとのファイバ接続部および光ファイバ心線の余長を収納する接続トレイ１０が収納される。なお、多心の光ファイバ心線の３ａとしては、例えば、複数本の光ファイバ心線をテープ状に配列したテープ心線が用いられる。
【００１６】
コネクタフレーム４ａには、光コネクタ同士を突き合わせて光接続をするための接続アダプタ７が、列状に並べて設置される。この接続アダプタ７の内側の接続口には、光ファイバケーブル３からの多心の光ファイバ心線３ａのそれぞれに接続された光ファイバ心線（または光ファイバコード）８ａの光コネクタ８が挿着される。接続アダプタ７の外側の接続口には、光ファイバコード９ａ等の端部に取付けられた光コネクタ９が挿着される。光ファイバコード９ａは、引出しテーブル５のファイバ導出路５ｂに添って曲げられ、収納ユニット１の側面方向に導出される。
【００１７】
光ファイバケーブル３内の光ファイバ心線３ａは、多少の弛みを持たせて光ファイバケーブル３の導入方向と反対の方向から接続トレイ１０内に導入される。接続トレイ１０の詳細は後述するが、多心の光ファイバ心線３ａのそれぞれは、上述した収納ユニット内側の光コネクタ８の光ファイバ心線８ａと、融着接続あるいはメカニカルスプライスにより接続され、そのファイバ接続部および余長部分が接続トレイ１０により収容保持される。光ファイバ心線８ａは、接続トレイ１０の光ファイバ心線３ａの導入側とは反対の側から引出され、上記の光コネクタ８に至る。
【００１８】
図３は、接続作業のためコネクタパネル４をユニット筐体２から引出した状態を示している。コネクタパネル４は、図３（Ａ）に示すように回転支軸６により支持されていて、回転により引出すことができる。コネクタパネル４の引出しは、その開き角が９０°程度あれば十分で、この場合、光ファイバケーブル３の光ファイバ心線３ａは、大きな弛みを有していなくても引張り張力を受けることなくスムーズに変位移動させることができる。
【００１９】
また、図３（Ｂ）に示すように、コネクタパネル４を開くことにより、ユニット筐体２の前部との間に矩形状の作業エリアを確保することができる。作業者は、この作業エリアにおいて、コネクタパネル４の後部側（奥部側）と向き合うようにして光ファイバの融着接続等の接続作業を行うことができる。そして、この接続作業に引き続いて、光コネクタ８，９等の設置部分に邪魔されることなく手近にある接続トレイ１０のトレイカバー１２を開いて、トレイ本体１１上にファイバ接続部を把持固定させ、また、余長を持たせて収納させるという作業を行うことができる。
【００２０】
上記の構成により、光ファイバケーブル３内の光ファイバは、収納ユニット１の後部の側面方向から導入され、ファイバ接続部および光コネクタを介して、収納ユニットの前部の側面方向から導出させることができる。また、光コネクタおよびファイバ接続部を収容保持するコネクタパネル４は、回転により引出すことができる。この結果、上記のように光成端の作業性を向上させることができると共に、光成端架の奥行き寸法が制限されている場合に対応することができ、光成端架の設置場所の省スペース化も実現することが可能となる。
【００２１】
図４，５は光ファイバのファイバ接続部および余長をとるための接続トレイの一例を示す図である。図において、１１はトレイ本体、１２はトレイカバー、１３はベース部、１４は周壁部、１５ａ，１５ｂはファイバ案内口、１６ａ，１６ｂは接続把持部、１７ａ，１７ｂは舌片、１８はヒンジ部、１８ａはヒンジピン部、１８ｂはヒンジ孔部、１９は係止フック、２０はストッパを示す。
【００２２】
接続トレイ１０のトレイ本体１１は、例えば、一枚で１２心位の光ファイバ心線を収容保持できるように形成され、図４に示すように、合成樹脂材の成形により、ベース部１３の周囲を周壁部１４で囲った薄型のトレイ形状とされる。ベース部１３の一方の辺側の両側には光ファイバを導入または導出するファイバ案内口１５ａ，１５ｂが設けられ、一方のファイバ案内口１５ａからは光ファイバケーブル側の光ファイバ心線３ａが導入され、他方のファイバ案内口１５ｂからは光コネクタに繋がる光ファイバ心線８ａが導出される。
【００２３】
ベース部１３上には、接続把持部１６ａ，１６ｂが一体に形成されていて、光ファイバ心線３ａと８ａのファイバ接続部を弾性的に把持して保持する。なお、光ファイバ心線３ａと８ａとの接続は、融着またはメカニカルで行うことができ、その融着接続補強部やメカニカルスプライサが接続把持部１６ａ，１６ｂで把持される。また、周壁部１４の上縁には、大小の舌片１７ａ，１７ｂが一体に形成されていて、光ファイバ心線の余長が収納保持されるように形成されている。
【００２４】
また、ファイバ案内口１５ａ，１５ｂが設けられている辺側と反対側の辺側には、ヒンジピン部１８ａとヒンジ孔部１８ｂからなるヒンジ部１８が設けられる。このヒンジ部１８は、図５に示すように、複数のトレイ本体１１を積層配置した際に、上下のトレイ本体１１間またはトレイカバー１２を開閉可能に連結するものである。すなわち、上側のトレイ本体１１のヒンジピン部１８ａを、下側のトレイ本体１１のヒンジ孔部１８ｂに挿入することにより互いに回動可能にヒンジ結合される。なお、最上部に位置するトレイ本体１１の上には、トレイカバー１２が同様な形態でヒンジ結合される。なお、ヒンジ部１８が設けられた反対側の辺側（すなわち、ファイバ案内口１５ａ，１５ｂ側）には、トレイ本体１１間の開閉をロックする係止フック１９が設けられる。
【００２５】
また、ヒンジ部１８が設けられた辺側に、開閉角を所定の角度以内に抑えるためのストッパ２０が設けられている。このストッパ２０は、例えば、三角形状の突起で形成され、上下のトレイ本体あるいはトレイカバー１２が開かれた際に、互いにストッパ２０が当接することで、その開き角度が所定の範囲内に抑えることができる。この結果、例えば、図３（Ｂ）に示すように、トレイカバー１２を開いたときに、その背面側にある光コネクタの配列に接触して、その配線に干渉しないようにすることができる。
【００２６】
また、本発明においては、図３で示すように、ファイバ案内口１５ａ，１５ｂのある側が後部側としてコネクタパネル４の後部側に位置し、ヒンジ部１８がコネクタパネル４の前部側（すなわち、光コネクタの配列側）に位置するように設置される。この結果、接続トレイ１０は、作業者が作業している側が開かれていて、光ファイバを接続した後、そのファイバ接続部を光ファイバを接続するために開いたトレイカバーやトレイ本体等で邪魔されることなく、接続把持部に移送し保持固定させることができ、作業性の向上を図ることができる。
【符号の説明】
【００２７】
１…光コネクタ収納ユニット、２…ユニット筐体、２ａ…上カバー、２ｂ…筐体側壁、２ｃ…取付け部片、２ｄ…ケーブル導入口、３…光ファイバケーブル、３ａ…多心の光ファイバ心線、４…コネクタパネル、４ａ…コネクタフレーム、５…引出しテーブル、５ａ…フロントカバー、５ｂ…ファイバ導出路、６…回転支軸、７…接続アダプタ、８，９…光コネクタ、８ａ…光ファイバ心線、９ａ…光ファイバコード、１０…接続トレイ、１１…トレイ本体、１２…トレイカバー、１３…ベース部、１４…周壁部、１５ａ，１５ｂ…ファイバ案内口、１６ａ，１６ｂ…接続把持部、１７ａ，１７ｂ…舌片、１８…ヒンジ部、１８ａ…ヒンジピン部、１８ｂ…ヒンジ孔部、１９…係止フック、２０…ストッパ。
【図１】
2012226257.tif 000003
【図２】
2012226257.tif 000004
【図３】
2012226257.tif 000005
【図４】
2012226257.tif 000006
【図５】
2012226257.tif 000007